(57)【要約】【課題】  グランド・広場・コンクリート面・アスファルト面・波止場・防波堤・の様な地面の硬い野外で、腰を掛け直射光線をさけて、スポーツ観戦・釣り・農作業等が出来る様にし、多少風が有っても倒れたり浮き上がったり抜け飛んだりしない事、又運搬に便利な様にする為には出来るだけコンパクトに折畳めるビーチパラソルを装着出来る折畳み椅子にすることが課題である。【解決手段】  折畳み椅子背もたれ部主構成パイプ４１に支柱クランプ具４を嵌め込み接着固定し、、ビーチパラソル支柱を装着できる様にし又多少風が有っても倒れたり浮き上がったりしない様に椅子転倒防止機能が有り、折畳み収納出来る地面上のパイプ製張り７を取り付け更に椅子浮き上がり転倒防止のウエート乗せネット６を取り付けウエートを乗せる事で多少風が有っても倒れたり浮き上がったりしない様にする。【選択図】  図１
2006081916.tif 000002
【特許請求の範囲】
【請求項１】
折りたたみ式になった椅子３に、椅子背もたれ部主構成パイプ４１に支柱クランプ具４を嵌め込み接着固定し、クランプ具４の支柱クランプ部開口レバー５をパイプ４１側に引きクランプ部４２を開口し、ビーチパラソル支柱を装着でき風で抜け飛ばない様にした、ビーチパラソルを装着できる折畳み式椅子。
【請求項２】
折りたたみ式になった椅子３の脚、接地部パイプ７０の接地面水平４５°横後ろ方向にジョイント機構７１が取り付けれるだけ伸ばした物にジョイント機構７１を介して、伸縮出来る２段に成ったパイプを取り付けパイプ７２を矢印方向にスライドさせジョイント機構７１を真直ぐに固定する事により、折りたたみ椅子を倒れ難くし、又パイプ７２を矢印の反対方向にスライドさせればジョイント機構７１が固定解除出来折畳み収納７３の様に出来る様にした事による椅子を倒れ難くし、折り畳み易くした、ビーチハラソルを装着できる折畳み式椅子。
【請求項３】
風などで簡単に浮き上がったり倒れたりしないように椅子座面下後部接地面にパイプ１０を後部脚パイプ７０に接合し、パイプ１０と地面パイプ１１とを利用し、その上に椅子浮き上がり転倒防止ウエート置きネット６を設け（図５Ｃ−Ｃ断面・図６・図７Ａ矢視参照）風などで簡単に浮き上がったり倒れたりしないようにした、ビーチパラソルを装着できる折畳み式椅子
【発明の詳細な説明】
【技術分野】
【０００１】  本発明は折りたたみ式になった椅子３にクランプ具４を介してビーチパラソルを装着出来るようにしたための、ビーチパラソル飛びぬけ防止や更に風による椅子の転倒や浮き上がりをウエート乗せネット６，椅子転倒防止機能の地面上の梁り７により、難くしたものである。
【背景技術】
【０００２】
【特許文献１】  公開実用新案公報（Ｕ）  実開平６−３３５３９がただ１件ある、ビーチパラソルを装着できる折畳み式椅子に関する実用新案であるが、この案の主眼は着座部と背もたれ部を構成する布に折畳むのにシンプルな椅子の機構で有って、パラソルは柄を挿通可能な穴上中下と３個設け、柄を穴に差し込むだけのもので風で倒れたり、椅子が浮き上がったり、抜け飛んだりする防止策はなく、この案の物は市販されているかどうか判らないが目にした事はない。
【特許文献２】  公開実用新案公報（Ｕ）  実開平５−９１３７この案はフィッシングチェアーと題して椅子と道具箱等を合体して、更にパラソル差しこみパイプを付けた物で、椅子に腰掛けて居ない時風でパラソルが抜け飛んだり左右に倒れるのを防止する策は無い。
【特許文献３】  公開実用新案公報（Ｕ）  昭６１−７７８３０この案は携帯用椅子付きテーブルと題して折畳み式でテーブルと椅子を合体して、更にパラソル差し込む穴を設けた物で風でパラソルが抜け飛んだりせず更にパラソル支柱の直径の違う物をクランプする機構は無い。
【０００３】  現在地面の硬い所で折畳み式椅子に座りビーチパラソルを使用するには、市販されているビーチパラソルスタンド（２０リットル入りの灯油ポリタンクを横にし中央に支柱が入る穴を設け補助具を使用してスタンドとしている）を使用するか片手で持つかしかないが、この市販されているビーチパラソルスタンドは中に水を入れた状態で１３Ｋｇしか無い為すこしの風で倒れたり抜け飛んだりするし、ビーチパラソルスタンドの接地部幅の半分ぶんの距離は折畳み式椅子より遠くなる。
【発明の開示】
【発明が解決しょうとする課題】
【０００４】  グランド・広場・コンクリート面・アスファルト面・波止場・防波堤・の様な地面の硬い野外で、腰を掛け直射光線をさけて、スポーツ観戦・釣り・農作業等が出来る様にし、多少風が有っても倒れたり浮き上がったり抜け飛んだりしない事、又運搬に便利な様にする為には出来るだけコンパクトに折畳めることが課題である。
【課題を解決するための手段】
【０００５】  折畳み椅子背もたれ部主構成パイプ４１に支柱クランプ具４を嵌め込み接着固定し、、ビーチパラソル支柱２を装着できる様にし又多少風が有っても倒れたり抜け飛んだりしない様に、椅子転倒防止機能が有り折畳み収納出来る地面上のパイプ製梁７を取り付け更に椅子浮き上がり転倒防止のウエート乗せネット６を取り付けウエートを乗せる事で多少風が有っても倒れたり浮き上がったり抜け飛んだりしない様にする。
【発明の効果】
【０００６】  本発明は折畳み椅子をグランド・広場・コンクリート面・アスファルト面・波止場・防波堤の様な地面の硬い野外で、何時でも簡単にパラソルを椅子に装着し腰を掛ける人に十分な日陰を提供出来、スポーツ観戦・釣り・農作業等で両手を使ってなにかをすることができ、多少風が有っても倒れたり浮き上がったり抜け飛んだりせず安心して何かをすることが出来る様になった。
【発明を実施する為の最良の形態】
【０００７】  請求項１は必ず取り入れ、請求項２の椅子転倒防止地面上の梁７はコンブリート部品として別ラインで作り、脚部パイプ７０にかしめて取り付ければ、現在生産しているラインは小幅な改造ですむ。又請求項３の椅子浮き上がり転倒防止ウエート置きネット６は多少強度は落ちるが図６，図７，Ａ矢視の様に４箇所にハトメ６２を取り付け片方をパイプ１０に落ちない様にフック６３を取り付け他方はパイプ１１にフック６４を引っ掛ける様にすればウエート乗せネット６の取り付け設備と取り付け人間工数が少なく成り、この発明を実施するのには最良に近い方法である。
【実施例】
【０００８】  私は１５−６年前ビーチパラソルを折畳み椅子に取り付けることは出来ないか考えていて、別のタイプの折畳み椅子に別タイプの連結具を使用する事で折畳み椅子に取り付けることに成功し、以来ずっと使って重宝していた。しかし私が使用していたのは小型の手漕ぎのボートの上で釣りをする時であって、このボートは安定性が悪いのでほとんど腰掛けたままでの使用の為、風により倒れたり椅子が浮き上がったりする事はなかったが、最近は波止場・防波堤での使用が殆どに成り、立つたり座ったり椅子から離れたりする事が多く、少しの風が吹いても倒れたり椅子が浮き上がったりする事が判り、今はバケツに水を入れ椅子の風上側のパイプに括り付けて使用しているが風向きが変わったりした時は倒れたりしている。【０００９】  図１の請求項１の４，請求項２の７，請求項３の６を取り付けた斜視図にウエート乗せネット６にレンガ等を乗せた状態がこの案の実施例である。
【図面の簡単な説明】
【００１０】
【図１】ビーチパラソルを装着し、椅子浮き上がり及び倒れ防止を折りこんだ斜視図
【図２】ビーチパラソル支柱のクランプ具の上面図
【図３】クランプ具の断面図
【図４】椅子倒れ防止機能の地面上の梁の半断面・半側面図
【図５】椅子浮き上がり防止のウエート置きネットの断面図
【図６】椅子浮き上がり防止のウエート置きネットの引っ掛け型の上面図
【図７】図６のＡ矢視図
【符号の説明】
【００１１】１・ビーチパラソル
２・ビーチパラソルの支柱
３・折畳み椅子
４・支柱クランプ具  （Ａ部）
５・支柱クランプ部開口レバー
６・椅子浮き上がり及び倒れ防止ウエート（レンガ・セメントブロック等）乗せネット
７・椅子転倒防止機能の地面上の梁り  （Ｂ部）
８・椅子転倒防止機能の地面上の梁り７を折畳み収納する時のフック引っ掛け部
９・収納時Ｂ部折畳み後引っ掛けフック
１０・後部脚を安定固定する為のパイプ
１１・前部接地面パイプ
４１・椅子背もたれ部主構成パイプ
４２・支柱クランプ部
６１・荷作り・梱包用材ＰＰバンド（折畳み時内側に曲がる様にする為バンド材の巻き癖を利用しＡ矢視で見て真中が山に成る様に揃えて加工する。）
６２・ハトメ
６３・ウエート乗せネット引っ掛けフック（保持側）
６４・ウエート乗せネット引っ掛けフック（引っ掛け側）
【図１】
2006081916.tif 000003
【図２】
2006081916.tif 000004
【図３】
2006081916.tif 000005
【図４】
2006081916.tif 000006
【図５】
2006081916.tif 000007
【図６】
2006081916.tif 000008
【図７】
2006081916.tif 000009